(57)【要約】【課題】受光素子をケースに安定して接地でき、クロストークを低減する。【解決手段】受光素子２とケース４間に導電性の部材１０が介在されている。導電性の部材１０は、導電材が混入されたチューブが所定の長さに切断されたものであって、弾性を有しており、それらを押し潰すことで平板状に形成されている。そして、平板状のものが受光素子２の金属缶２ｂの上面に貼り付けられると共に、金属缶２ｂの下面にも貼り付けられ、その状態で受光素子２がケース４に組み込まれると、該ケース４の下ケース５、上ケース６と受光素子２との間に部材１０が介在するようになっている。【選択図】　図１
2004096054.tif 000002
【特許請求の範囲】
【請求項１】
光信号を取り込む受光素子と、受光素子によって取り込まれた光信号に基づいて光信号を出力する発光素子と、これら受光素子及び発光素子を、互いに隣り合わせて組み付けるケースとを備えた光伝送モジュールにおいて、
前記受光素子とケース間に導電性の部材を介在させることを特徴とする光伝送モジュール。
【請求項２】
請求項１記載の光伝送モジュールにおいて、
前記導電性の部材は、弾性を有することを特徴とする光伝送モジュール。
【請求項３】
請求項１又は２記載の光伝送モジュールにおいて、
前記導電性の部材は、少なくとも、前記ケースを構成する第１ケースと第２ケースとのいずれか一方と、受光素子の金属缶との間に介在されていることを特徴とする光伝送モジュール。
【請求項４】
請求項１から３のいずれかに記載の光伝送モジュールにおいて、
前記導電性の部材は、受光素子の金属管の周面において前記ケースを構成する第１ケース及び第２ケースと接触する位置にそれぞれ取り付けられていることを特徴とする光伝送モジュール。
【発明の詳細な説明】
【０００１】
【発明の属する技術分野】
本発明は、光伝送経路の交換器や中継器等に使用される光伝送モジュールに関するものである。
【０００２】
【従来の技術】
従来のこの種の光伝送モジュールの一例を図５に示す。同図に示す光伝送モジュール１は、例えばフォトダイオードからなる受光素子２と、同じくフォトダイオードからなる発光素子３とがケース４に隣り合って配設されている。
ケース４は、上部を開放した下ケース５と、下部を開放した上ケース６とからなっており、下ケース５の内部に電子部品を実装した基板７が取り付けられている。受光素子２は、下ケース５の一側部に設けられた切欠き５ａより挿入され、その端子２ａが基板７に半田付けされることで電気的に接続される。発光素子３は、下ケース５の切欠き５ａと隣り合う位置に設けられた切欠き５ｂより挿入され、その端子３ａが基板７に半田付けされることで電気的に接続され、受光素子２と隣り合って同方向に配置されている。この場合、発光素子３の金属缶３ｂの両側にはそれ３ｂと同じ材質からなる取付腕３ｃが設けられている。上ケース６の一側部にも、下ケース５の切欠き５ａ及び５ｂに対応して切欠き６ａ及び６ｂが設けられている。
【０００３】
このように、下ケース５の一側部に受光素子２及び発光素子３がそれぞれ同方向に隣り合って挿入され、かつ基板７に半田付けで接続された後、下ケース５に上ケース６を嵌め込むことで、ケース４内に受光素子２及び発光素子３が組み付けられる。その際、発光素子３の金属缶３ｂ及び取付腕３ｃは、ケース４との間で絶縁する必要があるため、下ケース５及び上ケース６との間に絶縁材（図示せず）が設けられる。取付腕３ｃは、元々は発光素子３をねじ止めできるように金属缶３ｂに一体に設けられたものである。
なお、図５において、符号８は受光素子２の入力側に接続された光ファイバー、９は発光素子３の出力側に接続された光ファイバーである。
【０００４】
【発明が解決しようとする課題】
ところで、上記に示す従来の光伝送モジュール１は、低廉化等を図るため、受光素子２及び発光素子３に市販品が採用され、下ケース５及び上ケース６からなるケース４をプレス加工等によって製作し、そのケース４内に双方の素子２、３を自動組立している。
【０００５】
ところが、ケース４に受光素子２及び発光素子３を組み込んだとき、発光素子３には金属缶３ｂに取付腕３ｃが設けられているので、この取付腕３ｃによってケース４内に発光素子３を安定して組み込むことができるものの、受光素子２の金属缶２ｂには何も設けられていないので、受光素子２の端子２ａが基板７に半田付けされた状態で組み込まれているので、受光素子２がケース４に対して不安定に接地されるという問題があった。
【０００６】
また、受光素子２の電力が数μＷ程度であって、その電流値が数μＡであるのに対し、発光素子３においては電力が数ｍＷで受光素子２の電力より遙かに大きいので、発光素子３から電気的な放射電力が発生し、受光素子２に外乱ノイズとして作用し、しかも、発光素子３に設けられた取付腕３ｃによって発光素子３と受光素子２間の距離がいっそう狭まってしまい、取付腕３ｃがアンテナとして機能して作用する結果、受光素子２のクロストークが大きくなって特性に悪影響を受ける問題があった。
【０００７】
本発明は、上記従来技術の問題点に鑑み、その目的とするところは、受光素子をケースに安定した状態で組み込んでクロストークを低減し、特性の向上を図ることができる光伝送モジュールを提供することにある。
【０００８】
【課題を解決するための手段】
上記課題を解決するために本発明においては、以下の手段を採用した。
請求項１に係る発明は、光信号を取り込む受光素子と、受光素子によって取り込まれた光信号に基づいて光信号を出力する発光素子と、これら受光素子及び発光素子を、互いに隣り合わせて組み付けるケースとを備えた光伝送モジュールにおいて、前記受光素子とケース間に導電性の部材を介在させることを特徴とする。
この発明に係る光伝送モジュールによれば、受光素子が導電性の部材を介してケースに組み込まれるので、受光素子をケースに対し安定した状態で接地することができ、受光素子の接地を良好に行うことができる。
【０００９】
請求項２に係る発明は、請求項１記載の光伝送モジュールにおいて、前記導電性の部材は、弾性を有することを特徴とする。
この発明に係る光伝送モジュールによれば、導電性の部材が弾性を有するので、ケース内に受光素子を組み込んだとき、導電性の部材の弾性力でケースに部材を介して受光素子を確実に接触させることができ、ケースに対する受光素子の接地を的確に安定させることができる。
【００１０】
請求項３に係る発明は、請求項１又は２記載の光伝送モジュールにおいて、前記導電性の部材は、少なくとも、前記ケースを構成する第１ケースと第２ケースとのいずれか一方と、受光素子の金属缶との間に介在されていることを特徴とする。
この発明に係る光伝送モジュールによれば、導電性の部材がケースを構成する第１ケースと第２ケースとのいずれか一方と、受光素子の金属缶との間に介在されるので、受光素子を良好に接地することができる。
【００１１】
請求項４に係る発明は、請求項１から３のいずれかに記載の光伝送モジュールにおいて、前記導電性の部材は、受光素子の金属缶の周面において前記ケースを構成する第１ケース及び第２ケースと接触する位置にそれぞれ取り付けられていることを特徴とする。
この発明に係る光伝送モジュールによれば、導電性の部材が受光素子の金属缶の周面において第１、第２ケースと接触する位置にそれぞれ取り付けられることで、受光素子の金属缶とケースとを安定した状態で接触させることができるので、受光素子を良好に接地することができる。
【００１２】
【発明の実施の形態】
以下、本発明の実施の形態を、図面に基づいて説明する。図１〜図３は本発明の第１の実施の形態に係る光伝送モジュールを示す図であって、図１は光伝送モジュールの要部を示す斜視図、図２は図１のＡ−Ａ線に相当するケースを閉じたときの断面図、図３は受光素子及びケース間に設けられた導電性の部材を示す説明図である。
図１に示すこの実施形態の光伝送モジュール１は、受光素子２と、発光素子３と、これらを組み込んだケース４とを備え、受光素子２によって取り込まれた光信号に基づいて発光素子３が光信号を出力するように構成されている。そして、受光素子２と発光素子３とは市販品からなっており、発光素子３の金属缶３ｂの先端に取付腕３ｃが設けられている。この点は従来技術と同様であり、従来技術同一部分には同一符号を付している。
【００１３】
この実施形態において、従来技術と異なるのは、受光素子２とケース４間に導電性の部材１０が介在されている。
即ち、導電性の部材１０は、図３（ａ）に示すように、導電材が混入されたチューブ１１が所定の長さに切断されたものであって、弾性を有しており、そのチューブ１１を同図（ｂ）に示す鎖線から実線のように押し潰すことで平板状に形成されている。そして、平板状のものが図１及び図２に示すように、受光素子２の金属缶２ｂの上面に貼り付けられると共に、図２のように金属缶２ｂの下面にも貼り付けられ、その状態で受光素子２がケース４に組み込まれると、該ケース４の下ケース（第１ケース）５、上ケース（第２ケース）６と受光素子２との間に部材１０が介在するようになっている。
なお、図２において、符号１２は、発光素子３に設けられて下ケース５と上ケース６と間に介在させる絶縁材である。また、図１〜図３において、図５と同一部分には同一符号を付している。
【００１４】
本実施形態の光伝送モジュール１は、受光素子２に光信号が取り込まれると、その取り込まれた光信号に基づき、発光素子３から光信号が出力される。
この場合、発光素子３が数ｍＷで出力する一方、受光素子２が数μＷで出力することから、また、発光素子３の金属缶３ｂの両側に取付腕３ｃが設けられていることから、発光素子１２からの放射エネルギーが特に取付腕３ｃを介して放出され、受光素子２に外乱ノイズとして悪影響を与えるおそれがある。
【００１５】
しかしながら、ケース４内では、下ケース５及び受光素子２の金属缶２ｂの下部間に導電性の部材１０が介在していると共に、その金属缶２ｂの上部及び上ケース６間に導電性の部材１０が介在しているので、受光素子２が導電性の部材１０を介してケース４に組み込むことで、ケース４に対し安定した状態で接地することができる。
【００１６】
しかも、部材１０が弾性を有しているので、下ケース５と上ケース６とを閉じてケース４を形成したとき、両ケース５、６間に部材１０を確実に接触させることができ、ケースに対する受光素子２の接地を的確に行うことができる。
そのため、受光素子２の接地インピーダンスを下げることができる結果、受光素子２に発生するクロストークを確実に低減することができる。
【００１７】
従って、受光素子２に発生するクロストークを低減できることで、受光素子２の光信号に対する感度を高めることができ、光伝送モジュール１としての特性を高めることができる。
【００１８】
また、ケース４の下ケース５及び上ケース６と、受光素子２の金属缶２ｂ間に介在された導電性の部材１０が、所望の長さに切断されたチューブを潰して板状に形成されたものであるので、市販のチューブで済ませることができるばかりでなく、金属缶２ｂに簡単に貼り付けることができ、自動組立を良好に行うことができる。
なお、図示実施形態では、導電性の部材１０か受光素子２の金属缶２ｂの上面側及び下面側にそれぞれ取り付けられた例を示したが、何れか一方に取り付けられてもよく、要は、金属缶２ｂの周面において、下ケース５と上ケースとの何れかと接触できる位置に部材１０が取り付けられればよい。
【００１９】
図４は、本発明の第２の実施の形態に係る光伝送モジュールを示している。
この実施形態において、前記第１の実施形態と異なるのは、導電性の部材１０が受光素子２の金属缶２ｂを挿通させることで、金属缶２ｂとケース４の下ケース５及び上ケース６との間に部材１０が介在されたものである。
従って、この部材１０は、適宜の長さに切断された導電性のチューブを受光素子２の金属缶２ｂに被着するようになっている。
【００２０】
この実施形態によれば、導電性の部材１０を用いるので、基本的には前記第１の実施形態と同様の作用効果が得られる。
【００２１】
【発明の効果】
以上説明したように、本発明によれば、受光素子が導電性の部材を介してケースに組み込まれ、受光素子をケースに対し安定した状態で接地できるように構成したので、簡単な構成で受光素子に発生するクロストークを低減でき、受光素子の光信号に対する感度を高めることができる結果、光伝送モジュールとしての特性を高めることができる効果が得られる。
【図面の簡単な説明】
【図１】本発明の第１の実施の形態に係る光伝送モジュールを示す図であって、光伝送モジュールの要部を示す斜視図である。
【図２】図１のＡ−Ａ線に相当するケースを閉じたときの断面図である。
【図３】受光素子及びケース間に設けられた導電性の部材を示す説明図である。
【図４】本発明の第２の実施の形態に係る光伝送モジュールを示す図であって、受光素子に被着された導電性の部材を示す説明図である。
【図５】従来の光伝送モジュールを示す要部の説明図である。
【符号の説明】
１　光伝送モジュール
２　受光素子
２ｂ　受光素子の金属缶
３　発光素子
３ｂ　発光素子の金属缶
４　ケース
５　下ケース（第１ケース）
６　上ケース（第２ケース）
１０　導電性の部
【図１】
2004096054.tif 000003
【図２】
2004096054.tif 000004
【図３】
2004096054.tif 000005
【図４】
2004096054.tif 000006
【図５】
2004096054.tif 000007